(57)【要約】      （修正有）【課題】アングル鉄塔等の高所に設置される装置を確実に且つずれなく取り付けることが可能であり、作業のために所定の取り付け位置から上下にずらしても高所設置装置の調整が簡易とした器具を提供する。【解決手段】高所設置装置用器具１はポケットコンパス２が固定される固定用部材８とアングル鉄塔に取り付けるための取付機構２５を有する本体部材９とから構成される。固定用部材は本体部材に対し揺動可能に連結され、本体部材は固定用部材と連結された本体部分１８と取付機構２５が設けられた本体部分１９とから成る。本体部分と本体部分とは揺動可能に連結部２０で連結され、取付機構は２つの装着用具２６を有し、装着用具の一方又は双方は相互に遠近する方向に移動することが可能なように本体部分に装着することで、装着用具をアングル鉄塔のアングル材等に装着する。これにより、ポケットコンパスが固定でき、且つアングル鉄塔に取り付けることができる。【選択図】図２
2010230553.tif 000002
【特許請求の範囲】
【請求項１】
アングル材又は厚みの相対的に薄いプレート材を利用した構造物に設置される高所設置装置が取り付けられるものであって、
前記高所設置装置が固定される固定用部材と、前記構造物に取り付けるための取付機構を有する本体部材とから少なくとも構成されていると共に、
前記固定用部材は、前記本体部材に対し当該固定用部材の先端が上方を向いた位置から側方を向いた位置までの範囲で自在に変位できるように連結され、
前記本体部材は、前記固定用部材に連結された第１の本体部分と、前記取付機構が設けられた第２の本体部分とから成り、前記第１の本体部分と前記第２の本体部分とは連結部で連結され、前記第１の本体部分は前記連結部を基点として前記第２の本体部材から延びる軸線に対し左右方向の両方に向けて自在に揺動可能となっており、
前記取付機構は、２つの装着用具を有し、これらの装着用具の一方又は双方は相互に遠近する方向に移動することが可能であると共にこれらの装着用具をそれぞれ前記構造物の取り付け部位に装着することにより前記本体部材が前記構造物に取り付けられることを特徴とする高所設置装置用取付器具。
【請求項２】
前記固定用部材は、２つの開口部を有する貫通孔を備えた筒状体と、この筒状体の貫通孔に対しその軸方向に沿ってスライド可能に挿通されていると共にスライド方向の寸法が前記筒状体の貫通孔の軸方向に沿った寸法よりも大きくなっており、その軸方向の一方側には前記高所設置装置を固定するための固定部を有するスライド体と、このスライド体が前記筒状体に対し所定の位置にある状態を保持する保持機構とを少なくとも備えていることを特徴とする請求項１に記載の高所設置装置用取付器具。
【請求項３】
前記固定用部材を構成する筒状体とスライド体とに前記高所設置装置の調整を補助するための補助手段が形成されていることを特徴とする請求項２に記載の高所設置装置用取付器具。
【請求項４】
前記取付機構は、前記本体部材の面のうち前記構造物と対峙する側面からこの側面と同じ方向に延びる側面にかけて貫通すると共にこれらの側面の長手方向に沿って延びるように開口した貫通孔を形成し、この貫通孔に前記装着用具を前記貫通孔の長手方向に沿ってスライド自在に係合させると共に、前記装着用具に前記構造物の取り付け部位の端部を挟む挟持装置と前記構造物の取付部位の端部若しくは角部の面に接して保持する保持用突起部とを設けた構成としたことを特徴とする請求項１、請求項２又は請求項３のいずれかに記載の高所設置装置用取付器具。
【発明の詳細な説明】
【技術分野】
【０００１】
この発明は、アングル鉄塔等のアングル材又は厚みの相対的に薄いプレート材を利用した構造物のうち高所となる場所にポケットコンパス等の高所設置装置を取り付けるための器具の構造に関する。
【背景技術】
【０００２】
送電線の延線工事のうち送電線を直接見通す直接法としては、等長法が主として用いられており、この等長法では、例えば特許文献１によれば、弛度計測径間の２つの鉄塔に対しその一方に弛度定規（バーテックス）を、もう一方に観測装置を取り付けて、観測装置から見た送電線の最下点を弛度定規と同じ高さに合わせる手法が採られている。
【０００３】
そして、上記等長法で用いられる観測装置のみならずこの特許文献１に示される架空線弛度監視方法で用いられる遠隔からの監視用の固体カメラでも、当該固定カメラを鉄塔に取り付けるためにマグネットが用いられるようになっている。
【０００４】
その一方で、マグネット以外で、所定の機器を鉄塔等のアングル材又は厚みの相対的に薄いプレート材を利用した構造物に取り付けるための装置としては、例えば特許文献２に示される送電鉄塔用機材取付け金具等が既に公知となっている。また、架台を対象物に固定するための装置としては、例えば特許文献３に示される架台用固定補助具等が既に公知となっている。
【先行技術文献】
【特許文献】
【０００５】
【特許文献１】特開２０００−３２４６３９号公報
【特許文献２】実開平５−７８１３３号公報
【特許文献３】特開２０００−１２０９３６号公報
【発明の概要】
【発明が解決しようとする課題】
【０００６】
しかしながら、上記特許文献１に示される固定カメラ等の高所設置装置用取付器具のようにマグネットで鉄塔に取り付けたのでは、鉄塔の高所での作業中に当該作業で発生した鉄塔の振動或いはこの高所設置装置用取付器具の周囲に配置されたロープや作業員のヘルメットのツバ部分等が不用意に触れることにより、所望の位置から高所設置装置用取付器具がずれてしまうことがある。この場合には、高所設置装置用取付器具の取り付け位置を再調整しなければならず、しかもこの再調整の作業は高所で行うこととなるので作業員に大きな負担をかけるという不具合を有していた。そして、高所設置装置用取付器具が上記の要因で落下した場合には、高所設置装置用取付器具が破損するのみならず構造物の下方に居る者に対しても非常に危険である。
【０００７】
また、電線の弛度を観測する際に例えば１時間乃至は２時間経過すると温度の変化により電線の弛度が変わってくるため高所設置装置による観測位置を上下方向に沿って変位させる必要があるが、上記特許文献１に示されるような高所設置装置用取付器具の構造では、高所設置装置による観測位置の変位後に水平方向となっているか等の微調整を行う必要があり、観測作業が煩雑化するという不都合を有していた。
【０００８】
そして、特許文献２に示される送電鉄塔用機材取付け金具や特許文献３に示される架台用固定補助具では、所定の取り付け位置から緩めた状態として上下方向にずらして再度において取り付けるにあたり、高所設置装置の水平方向等の調整が容易とは言えず、高所設置装置を用いての電線の弛度観測作業に充分に対応しているとは言えないものである。
【０００９】
また、ポケットコンパス等の高所設置装置を取り付けた後に高所設置装置を使用しようとした場合に、アングル材又は厚みの相対的に薄いプレート材を利用した構造物に装着された腕金の主柱部材等の障害物が測定箇所と重なる場合には、特許文献２に示される送電鉄塔用機材取付け金具や特許文献３に示される架台用固定補助具では、障害物を避けるように高所設置装置の付け替えを行う必要がある。
【００１０】
そこで、本発明は、アングル鉄塔と称される種類の鉄塔の塔上等、アングル材又は厚みの相対的に薄いプレート材を利用した構造物上の高所に設置される装置を確実に且つずれなく取り付けることが可能であると共に取り付け後でも高所設置装置の向きや高さを可変可能であり、しかも、観測作業のために所定の取り付け位置から上下方向に変位させても高所設置装置の調整が簡易な器具を提供することを目的とする。
【課題を解決するための手段】
【００１１】
この発明に係る高所設置装置用取付器具は、アングル材又は厚みの相対的に薄いプレート材を利用した構造物に設置される高所設置装置が取り付けられるものであって、前記高所設置装置が固定される固定用部材と、前記構造物に取り付けるための取付機構を有する本体部材とから少なくとも構成されていると共に、前記固定用部材は、前記本体部材に対し当該固定用部材の先端が上方を向いた位置から側方を向いた位置までの範囲で自在に変位できるように連結され、前記本体部材は、前記固定用部材に連結された第１の本体部分と、前記取付機構が設けられた第２の本体部分とから成り、前記第１の本体部分と前記第２の本体部分とは連結部で連結され、前記第１の本体部分は前記連結部を基点として前記第２の本体部材から延びる軸線に対し左右方向の両方に向けて自在に揺動可能となっており、前記取付機構は、２つの装着用具を有し、これらの装着用具の一方又は双方は相互に遠近する方向に移動することが可能であると共にこれらの装着用具をそれぞれ前記構造物の取り付け部位に装着することにより前記本体部材が前記構造物に取り付けられることを特徴としている（請求項１）。
【００１２】
これにより、この高所設置装置用取付器具によれば本体部材に有する取付機構の複数の装着用具を利用して構造物の取り付け部位に対して確実且つ強固に高所設置装置用取付器具を取り付けることができ、構造物の振動や作業員の接触等によっても構造物への取り付け位置にずれが生じない。また、高所設置装置用取付器具を構成する固定用部材が本体部材に対し略水平になった状態から起立した状態まで可動することができると共に、本体部材も第１の本体部分が第２の本体部分に対して左右方向に首振り的に可動することができるので、これらの動作の組み合わせにより固定用部材に固定された高所設置装置の向きを相対的に見て自在に可変することができる。
【００１３】
そして、この発明に係る高所設置装置用取付器具にあって、前記固定用部材は、２つの開口部を有する貫通孔を備えた筒状体と、この筒状体の貫通孔に対しその軸方向に沿ってスライド可能に挿通されていると共にスライド方向の寸法が前記筒状体の貫通孔の軸方向に沿った寸法よりも大きくなっており、その軸方向の一方側には前記高所設置装置を固定するための固定部を有するスライド体と、このスライド体が前記筒状体に対し所定の位置にある状態を保持する保持機構とを少なくとも備えている（請求項２)。これにより、固定用部材を構成するスライド体が同じく固定用部材を構成する筒状体に対し貫通孔の軸方向にスライドすることができるので、この動作も加味することで、固定用部材に固定された高所設置装置の向きをより一層自在に可変することができる。また、温度の変化により電線が変わってきて、高所設置装置による観測位置を上下方向に沿って変位させる必要があっても、スライド体を上下動させればよく高所設置装置用取付器具全体の付け替えを必要としない。
【００１４】
また、この発明に係る高所設置装置用取付器具は、前記固定用部材を構成する筒状体とスライド体とに前記高所設置装置の調整を補助するための補助手段が形成されている（請求項３）。具体的には、筒状体には補助手段として例えば水平計測器が取り付けられ、スライド体には補助手段として例えば目盛りが設けられている。これにより、スライド体をスライドさせる際の微妙な設定について目盛りを参照しながら正確に行うことができる。また、高所設置装置用取付器具全体を付け替える必要や位置をずらす必要が生じても、水平計測器により高所設置装置用取付器具の位置や向き等の調整を簡易に行うことが可能である。
【００１５】
さらに、この発明に係る高所設置装置用取付器具にあって、前記取付機構は、前記本体部材の面のうち前記構造物と対峙する側面からこの側面と同じ方向に延びる側面にかけて貫通すると共にこれらの側面の長手方向に沿って延びるように開口した貫通孔を形成し、この貫通孔に前記装着用具を前記貫通孔の長手方向に沿ってスライド自在に係合させると共に、前記装着用具に前記構造物の取り付け部位の端部を挟む挟持装置と前記構造物の取付部位の端部若しくは角部の面に接して保持する保持用突起部とを設けた構成となっている（請求項４）。これにより、取付機構を構成する装着用具の挟持装置と保持用突起部との使い分けで、構造物に対してその取付部位を選ばずに取り付けることができる。
【発明の効果】
【００１６】
以上のように、この発明によれば、高所設置装置用取付器具のうちの本体部材が有する取付機構の複数の装着用具を利用して構造物の取り付け部位に対して確実且つ強固に高所設置装置用取付器具を取り付けることができ、構造物の振動や作業員のヘルメットのツバ等の接触等によっても構造物に取り付けた位置からずれないため、高所設置装置用取付器具の無用な付け直し作業を回避することが可能となり、作業員の不要な作業をなくすことができるので、送電線の弛度観測作業の効率化が図られる。
【００１７】
また、この発明によれば、高所設置装置用取付器具を構成する固定用部材が本体部材に対し略水平になった状態から起立した状態まで可動することができると共に、本体部材も第１の本体部分が第２の本体部分に対して左右方向に首振り的に可動することができるので、これらの固定用部材の本体部材への動作と本体部材の第１及び第２の本体部分との動作の組み合わせにより固定用部材に固定された高所設置装置の向きを相対的に見て自在に可変することができる。このため、高所設置装置用取付器具を構造物に取り付けて電線の弛度の観測をしようとした場合にその観測を妨げる障害物があっても、高所設置装置用器具を付け替えることなく、その障害物を回避して観測を行うことが可能である。
【００１８】
特に請求項２に記載の発明によれば、温度の変化により電線の弛度が変わってきて、高所設置装置による観測位置を構造物の上下方向に沿っていずれかに変位させる必要があっても、スライド体を筒状体に対し上下方向に沿ってスライドさせた後、固定部でその位置を固定すれば良く、高所設置装置用取付器具全体の付け替えを必要としないので、作業員の作業数を削減することができることから電線の弛度観測作業の効率化が図られる。また、スライド体の筒状体に対するスライドの動作を固定用部材の本体部材への揺動の動作と本体部材の第１及び第２の本体部分との揺動の動作に対して更に付加することにより、高所設置装置用取付器具を構造物に取り付けて電線の弛度の観測をしようとした場合にその観測を妨げる障害物があっても、高所設置装置用器具を付け替えることなく、その障害物を回避して観測を行うことがより一層可能となる。
【００１９】
特に請求項３に記載の発明によれば、スライド体をスライドさせる際の微妙な設定について目盛り等の補助手段を参照しながら正確に行うことができる。また、高所設置装置用取付器具全体を付け替える必要や位置をずらす必要が生じても、水平計測器等の補助手段により高所設置装置用取付器具の調整を簡易に行うことが可能であるので、電線の弛度の観測作業全体の能率を向上させることが可能である。
【００２０】
特に請求項４に記載の発明によれば、取付機構を構成する装着用具の挟持装置と保持用突起部との使い分けで、構造物に対してその取り付け部位を選ばずに取り付けることができるので、高所設置装置用器具の設置場所の自由度が向上し、高所設置装置用器具の設置作業の効率化・迅速化を図ることができる。
【図面の簡単な説明】
【００２１】
【図１】図１は、アングル鉄塔間での送電線の弛度を測定する手法に関する説明をするための説明図である。
【図２】図２は、本願の発明に係る高所設置装置用取付器具の全体構成を示す説明図である。
【図３】図３は、同上の高所設置装置用取付器具の固定用部材についての本体部材に対する可動性を説明するための説明図である。
【図４】図４は、同上の高所設置装置用取付器具の本体部材のうちの第１の本体部分についての本体部材の第２の本体部分に対する可動性を説明するための説明図である。
【図５】図５は、同上の高所設置装置用取付器具の取付機構を構成する装着用具が相互に遠近する方向に可動する可動性を説明するための説明図である。
【図６】図６は、同上の高所設置装置用取付器具の取付機構を構成する装着用具が自転可能であることを説明するための説明図である。
【図７】図７は、同上の高所設置装置用取付器具をアングル鉄塔間の角部のうちアングル鉄塔の構成部材が重複した部位に取り付けた状態を説明するための説明図である。
【図８】図８は、同上の高所設置装置用取付器具をアングル鉄塔間の角部のうちアングル鉄塔の構成部材が重複していない部位に取り付けた状態を説明するための説明図である。
【図９】図９は、同上の高所設置装置用取付器具に高所設置装置を固定した状態を説明するための説明図である。
【図１０】図１０は、同上の高所設置装置が固定された高所設置装置用取付器具を鉄塔に取り付ける位置を複数において例示するための説明図である。
【発明を実施するための形態】
【００２２】
以下、この発明の実施形態の一例を図面に基づいて説明する。
【００２３】
図１から図１０において、この発明に係る高所設置装置用取付器具１、ポケットコンパス２、及びポケットコンパス２が固定された状態での高所設置装置用取付器具１のアングル鉄塔３への取り付け状態が示されている。
【００２４】
まずポケットコンパス２について説明すると、ポケットコンパス２は、図１に示されるように、複数のアングル鉄塔３のうち隣接するアングル鉄塔３の一方を定規側のアングル鉄塔３ａに設定し、他方を観測側のアングル鉄塔３ｂに設定して、これらのアングル鉄塔３ａとアングル鉄塔３ｂとの間に側方から見て波状に渡らせた送電線４に対し、アングル鉄塔３ａとアングル鉄塔３ｂとを上下で平行且つ直線状に結ぶ上側基準線Ａと下側基準線Ｂとの間における当該送電線４の弛度を、観測側のアングル鉄塔３ｂに登った作業員がこの観測側のアングル鉄塔３ｂ側から定規側のアングル鉄塔３ａ側を観測することで視認し、この観測結果に基づいて他の作業員に指示を出して適宜な送電線４の緊設作業を行うためのものである。
【００２５】
そして、ポケットコンパス２は、この実施例では、図２に示されるように、スコープ部５と、このスコープ部５の上下角の角度を調節する角度調節機構６と、台座７とで基本的に構成されている。尚、スコープ部５には図示しないがレンズに縦横に延びる十字が描かれており、このスコープ部５のレンズに描かれた十字の中心に送電線４の弛度が来るようにすれば電線の緊設が適切に行われようになっている。また、台座７には図示しないが後述する固定用部材８の固定部１２が挿入可能な挿入穴が角度調節機構６側とは反対側に形成されている。
【００２６】
高所設置装置用取付器具１は、ポケットコンパス２を固定すると共に当該ポケットコンパス２をアングル鉄塔３に取り付けるための架台として機能するもので、図２及び図３に示されるように、固定用部材８と、本体部材９とで基本的に構成されている。
【００２７】
このうち、固定用部材８は、図８に示されるように２つの開口部を有する貫通孔１０ａを備えた筒状体１０と、この筒状体１０の貫通孔に対しその軸方向に沿ってスライド可能に挿通されていると共にスライド方向の寸法が筒状体１０の貫通孔の軸方向に沿った寸法よりも大きくなっており、その軸方向の一方側には前記高所設置装置を固定するための固定部１２を有するスライド体１１と、このスライド体１１が筒状体１０に対し所定の位置にある状態を保持する保持機構１３とを備えている。
【００２８】
筒状体１０は、円筒状のもので、その側方外面には図２から図５に示されるように水平計測器１４が取り付けられており、ポケットコンパス２の台座７が水平状態か知ることができるようになっている。また、スライド体１１は、円柱状のもので、その外径寸法は筒状体１０の貫通孔１０ａの内径寸法と略同じかそれよりも小さくなっており、スライド体１１が筒状体１０の貫通孔１０ａ内を円滑に且つガタつきなくスライドできるように数値が設定されている。そして、スライド体１１の側面には目盛り１５が付けられており、スライド体１１の筒状体１０からの上側又は下側への突出量をこの目盛り１５を見ることで判ることができるようになっている。保持機構１３は、それ自体は公知の構造であり、例えば筒状体１０の上方から見て右回りにかかる保持機構１３を構成する環状部１６を回すことで、スライド体１１に対して締め付けが行われ、反対に筒状体１０の上方から見て左回りに環状部１６を回すことで、スライド体１１に対する締め付けを緩めることができるものである。
【００２９】
これに対し、本体部材９は、図２及び図３に示されるように、相対的に厚みが相対的に薄い板状の本体部分１８と、同じく相対的に厚みが相対的に薄い板状の本体部分１９とを有して構成されるもので、本体部分１８は固定用部材８と固定用部材８の側面から延びる突起片２０と回転軸２１を介して連結されている。そして、この回転軸２１は、頭部２１ａを所定方向に回転することで、本体部材９の本体部分１８と突起片２０との接面の強度を調整することが可能となっている。
【００３０】
これにより、固定用部材８は、回転軸２１の頭部２１ａを緩めたときには、本体部材９の長手方向に延びる直線状の基準線を想定した場合に、筒状体１０及びスライド体１１について、少なくとも図４の実線で示されるように本体部材９の長手方向に延びる基準線に沿った状態から図４の２点鎖線で示されるように本体部材９の長手方向に延びる基準線とは交差する状態までの範囲で、本体部材９に対し回転することができる、そして、この固定用部材８の回転範囲内のうちの選択した位置で回転軸２１の頭部２１ａを締め付けることにより、固定用部材８は本体部材９に対し本体部材９の長手方向に沿った基準線に対して自由な角度で固定することができる。
【００３１】
また、本体部材９は、本体部分１８と本体部分１９とは図２及び図３（ａ）に示されるように、ヒンジ状の連結部２２により連結されている。そして、この連結部２２には締緩調整具２３が設けられており、この締緩調整具２３を所定方向に回すことにより本体部分１８と本体部分１９との間の可動性をＯＮ状態にしたり、ＯＦＦ状態にしたり調節することができる。
【００３２】
これにより、本体部分１８は、締緩調整具２３を緩めたときには、本体部分１９の長手方向に延びる直線状の基準線を想定した場合に、図５の実線に示されるように、本体部分１９の長手方向に延びる基準線上にある状態から図５の２点鎖線に示されるように本体部分１９の長手方向に延びる基準線に対し図上の右側に傾斜した状態まで、或いは図示しないが本体部分１９の長手方向に延びる基準線に対し図上の左側に傾斜した状態まで、連結部２０を基点として左右両側に向けて回転することができる。そして、この第１の本体部分１９の回転範囲内のうちの選択した位置で締緩調整具２３を締め付けることにより、本体部分１８は本体部分１９に対し本体部分１９の長手方向に沿った基準線に対して自由な角度で固定することができる。
【００３３】
そして、本体部材９の本体部分１９は、高所設置装置用取付器具１をアングル鉄塔３に取り付けるための取付機構２５を有している。この取付機構２５は、２つの（但し、３以上でも良い。）の装着用具２６と、これらの装着用具２６が係合可能な貫通孔４０とを有して構成されている。
【００３４】
各装着用具２６は、本体部分１９の貫通孔４０の開口端から外部に突出した保持用突起部２７を有している。この保持用突起部２７は、切欠溝３０、３１が形成されている。この切欠溝３０、３１は、図８に示されるようなアングル鉄塔３の主柱部を構成する断面が略Ｌ字のアングル材２８、２９が重なった角部と係合するのに適するように、切欠溝３０の図７（ａ）で示される切り欠き角度Ｒ１は約４５度となっており、切欠溝３１の図７（ｂ）で示される切り欠き角度Ｒ２は約９０度となっている。更に、保持用突起部２７は、切欠溝３０、３１を構成する２つの面のうち少なくとも本体部分１９側の面若しくは両方の面が平らでなく鋸歯状になっており、これにより、アングル鉄塔３を構成するアングル材２８、２９等が滑るのを防止している。
【００３５】
そして、保持用突起部２７の切欠溝３０を形成する部位のうち本体部分１９側となる延長部位は、この本体部分１９に沿って延びていると共に、切欠溝３０と切欠溝３１との境界に位置する頂部と切欠溝３１のうち本体部分１９とは反対側に位置する頂部とを結ぶ直線は保持用突起部２７の切欠溝３０を形成する延長部位の延びる方向に沿った直線と略直角に交差し、且つ保持用突起部２７の切欠溝３０を形成する延長部位は前記２つの頂部を結ぶ直線よりも外側に突出している。これにより、アングル鉄塔３の主柱部を構成する断面が略Ｌ字のアングル材２８に対し、図９に示されるように、アングル材２８の一面が２つの頂部に接し、アングル材２８の他面が延長部位に接するようにすることができる。
【００３６】
また、保持用突起部２７は、切欠溝３０、３１が形成された側と反対側に挟持装置３２を有している。この挟持装置３２は、保持用突起部２７から本体部分１９と平行に延びる固定側挟持プレート３３と、頭部３４ａを所定方向に回すことにより固定側挟持プレート３３に対して遠近する方向に可動させることができる可動側挟持具３４と、この可動側挟持具３４が取り付けられる取付プレート３５とで構成されている。これにより、図９に示されるように、アングル鉄塔３のアングル材２８の端部等を挟持装置３２の固定側挟持プレート３３と可動側挟持具３４とで挟持して固定することができる。
【００３７】
更に、各装着用具２６は、本体部分１９の貫通孔４０のうち保持用突起部２７側とは反対側には、この装着用具２６が貫通孔４０の長手方向に沿って移動するのを規制するボルト等からなる固定具３５が取り付けられていると共にこの固定具３５と保持用突起部２７との間には保持部材３６が介在されている。そして、保持部材３６の本体部分１９には、例えば鋸歯状の凹凸が形成されていると共に、本体部分１９にも例えば鋸歯状の凹凸部３７が形成されており、このため、本体部分１９の凹凸部３７と装着用具２６の保持部材３６の凹凸が噛み合うので、装着用具２６が不用意に貫通孔４０の長手方向に滑るのを抑止することができる。
【００３８】
これにより、装着用具２６は、固定具３５を緩めたときには、例えば図６の実線に示される位置から図６の２点鎖線で示される位置まで、装着用具２６の一方又は双方を貫通孔４０の長手方向に沿ってスライドさせることができるので、アングル鉄塔３の取り付け部位の形態や大きさに合致するように、装着用具２６、２６間の間隔を自由に調整することができる。また、装着用具２６は、図７に示されるように固定具３５の中心点を回転中心として自転させることができるので、装着用具２６の向きも図７（ａ）に示される向きから１８０度反対の図７（ｂ）に示される方向に向かせることも可能である。
【００３９】
このような構成としたことから、高所設置装置用取付器具１は、図８に示されるように、図８に示されるようなアングル鉄塔３の主柱部を構成する断面が略Ｌ字のアングル材２８、２９が重なった角部においては、内側のアングル材２９の側端には２つの装着用具２６の保持用突起部２７の各切欠溝３１の内側面を当て、外側のアングル材２８の側端には２つの装着用具２６の保持用突起部２７の各切欠溝３１の内側面を当てようにして、アングル材２８、２９を両側から挟持することで、アングル鉄塔３に高所設置装置用取付器具１を固定することができる。
【００４０】
また、図８に示されるように、図９に示されるようなアングル鉄塔３の主柱部を構成する断面が略Ｌ字のアングル材２８が１枚の角部においては、アングル材２８の角部近傍の一辺に対し装着用具２６の保持用突起部２７のうち本体部分１９に沿って延びる部位の面を当て、アングル材２８の角部近傍の他辺に対し切欠溝３０、３１の形成で生ずる２つの頂部を当てるようにすると共に、アングル材２８の角部から離れた端部では挟持装置３２の固定側挟持プレート３３と可動側挟持具３４とで挟持して、アングル材２８、２９を２点保持することで、アングル鉄塔３に高所設置装置用取付器具１を固定することができる。
【００４１】
しかも、ポケットコンパス２が装着された状態でアングル鉄塔３に取り付けた後でも、高所設置装置用取付器具１を構成する固定用部材８を可動し、又は／及び本体部分１８を本体部分１９に対して左右に可動することにより、ポケットコンパス２のスコープ部５を覗いた際に障害物があっても、スコープ部５が狙う向きを調整することができる。そして、送電線４の弛度を観測中に温度の変化等で送電線４の弛度が変わってたとえば上方に観測位置を変更する必要性が生じても、固定用部材８のスライド体１１を筒状体１０の貫通孔１０ａの軸方向に沿ってスライドさせることで対応することができ、しかもスライド体１１に目盛り１５が付いているので、正確にスライドさせることができる。更には、高所設置装置用取付器具１についてずれ等が生じて付け直しや位置変更が生じても、筒状体１０に水平計測器１４が設けられているので、ポケットコンパス２が水平に設置されているかどうか等について容易に知ることができる。
【００４２】
そして、高所設置装置用取付器具１のアングル鉄塔３への取り付け位置も、取付機構２５を構成する複数の装着用具２６についていずれも保持用突起部２７を使う手法、装着用具２６のうち一方では保持用突起部２７を使い、他方では挟持装置３２を使う手法、及び、複数の装着用具２６についていずれも挟持装置３２を使う手法を選択して採ることができるので、図１０の左側に示されるようにアングル鉄塔３の主柱部のアングル材２８等に取り付ける態様のみならず、アングル鉄塔３の略水平方向に延びる側柱部のアングル材４１に取り付けたり、アングル鉄塔３の斜め方向に延びる側柱部のアングル材４２、４３に取り付けたりすることもできる。
【００４３】
最後に、高所設置装置用取付器具１の取付対象をアングル鉄塔として説明してきたが必ずしもこれに限定されず、アングル材又は厚みの相対的に薄いプレート材を利用した構造物であれば良い。
【符号の説明】
【００４４】
１  高所設置装置用取付器具
２  ポケットコンパス（高所設置装置）
３  アングル鉄塔（アングル材又は厚みの相対的に薄いプレート材を利用した構造物）
３ａ  定規側アングル鉄塔
３ｂ  観測側アングル鉄塔
４  送電線
８  固定用部材
９  本体部材
１０  筒状体
１０ａ  貫通孔
１１  スライド体
１２  固定部
１３  保持機構
１４  水平計測器（補助手段）
１５  目盛り（補助手段）
１８  本体部分（第１の本体部分）
１９  本体部分（第２の本体部分）
２０  突起片
２１  回転軸
２２  連結部
２３  締緩調整具
２５  取付機構
２６  装着用具
２７  保持用突起部
２８  アングル材
２９  アングル材
３０  切欠溝
３１  切欠溝
３２  挟持装置
３３  固定側挟持プレート  
３４  可動側挟持具
３５  取付プレート
３６  取付部材
３７  凹凸部
４０  貫通孔
４１  アングル材
４２  アングル材
４３  アングル材
【図１】
2010230553.tif 000003
【図２】
2010230553.tif 000004
【図３】
2010230553.tif 000005
【図４】
2010230553.tif 000006
【図５】
2010230553.tif 000007
【図６】
2010230553.tif 000008
【図７】
2010230553.tif 000009
【図８】
2010230553.tif 000010
【図９】
2010230553.tif 000011
【図１０】
2010230553.tif 000012